(57)【要約】【目的】就寝中の大地震に対して、簡易、軽量、強靱な合体、合成樹脂体で三角テント形状とし内部の就寝者を天井、梁柱の落下、箪笥の転倒からの下敷きの危険から強力に防ぐ空間を形成し、折畳み収納もでき、各人が自由な場所で小スペース設置使用ができる低コストの就寝中の耐震具、別名、就寝ヘルメットと呼んでよく、人が横になつたとき上半身の頭部胸部、腹部の主要部を地震帯の人々が毎晩低コストで容易にヘルメット代わりに全員が使用して身体を最小の被害に留めることを目的とする。【構成】合体、合成樹脂体の上部を接続部とし下部を開放部とし、この開放部には三角テント状に成る幅の長さに調整した帆布、鋼鉄線等の開放制御体を設け、対応体の各接続部と接続し開放制御体も連結して三角テント形状を形成する構成である。【選択図】  図１
2004316388.tif 000002
【特許請求の範囲】
【請求項１】
合体で該合体の上部を接続部とし下部を開放部とし該開放部に開放制御体を設け、対応体の下部の開放部と前記開放制御体を連結し上部の接続部を前記接続部に接続して成ることを特徴とする就寝中の耐震具。
【請求項２】
合体で該合体の上部を網と接続部を保有したことを特徴とする請求項１記載の就寝中の耐震具。
【請求項３】
合成樹脂体としたことを特徴とする請求項１記載の就寝中の耐震具。
【請求項４】
合成樹脂体の中央部を屈折し両端縁を底部とし該底部を開放部とし該開放部に開放制御体を設け該開放制御体を対応する前記開放部に連結して成ることを特徴とする就寝中の耐震具。
【請求項５】
屈折を有する合成樹脂体の両端縁に接続部を設け対応体の接続部を他方の前記両端縁の前記接続部に接続して成ることを特徴とする就寝中の耐震具。
【発明の詳細な説明】
【０００１】
【産業上の利用分野】
この発明は、就寝中の耐震具に関するものである。
【０００２】
【従来の技術】
従来、寝室内にもう一つ小さな寝室状の重厚複雑で備え付け同然の物はあつたが形状が就寝時以外ではスペースをとり、一般住居では就寝時以外に片付けられず居住区が狭小となり、各人毎の使用も困難で高価複雑重厚な欠点があつた。
【０００３】
【発明が解決するための課題】
上記を解決するために、安価、軽量、強靱、三角テント形で簡単に折り畳み収納もできて、就寝中の突然の激震による落下物からの被害を最小にとどめる安全な空間を確保し、沈着な情況の判断、応急処置、脱出、人体頭部、胸部、腹部の重要部をほぼ完全に防禦し、各人毎が使用でき地震のなかでも最大危機の就寝中の咄嗟の危機対応ができて、幅広く激震からの安全確保が低コストに享受でき、別名、就寝中のヘルメット、と言ってよい感覚の利便な器具を提供する。
【０００４】
【課題を解決するための手段】
イ、合体で該合体の上部を接続部とし下部を開放部とし該開放部に開放制御体を設け、対応合体の下部の開放部と前記開放制御体を連結し上部の接続部を前記接続部に接続して成る。
ロ、合体で該合体の上部を網と接続部を保有したことを特徴とするイ項記載の就寝中の耐震具。
ハ、合成樹脂体としたことを特徴とするイ項記載の就寝中の耐震具。
ニ、合成樹脂体の中央部を屈折し両端縁を底部とし該底部を開放部とし該開放部に開放制御体を設け該開放制御体を対応する前記開放部に連結して成る。
ホ、屈折を有する合成樹脂体の両端縁に接続部を設け対応体の接続部を他方の前記両端縁の前記接続部に接続して成る。
【０００５】
【作用】
イ、本発明に係わる就寝中の耐震具は、就寝時の大地震で安全空間形成と自由設置使用と折畳み収納の作用を有す、それは強靱、軽量な合体が対応体を有して、両合体は各々接続部や開放部を有し、開放部には強力な帆布やスチールワイヤー等で開放部幅を調整する開放制御体を設け、対応体上部の接続部を接続し下部の開放部を開放制御体で連結して強靱な三角テント形成作用を為し、上部の接続部の開閉で寝具の設置と撤収作用を容易とし毎晩の使用を可能とし、開放制御体を調整して圧迫感の無い三角テント形状とし、内部の就寝者の横臥が三角テントの安定作用を為し、天井落下、梁柱落下、箪笥等転倒に対し就寝者の下敷き回避作用をする、寝具の設置と撤収は接続具を外して両開きとし布団を開閉制御体の上に設置し、接続具で接続すると寝具を保有する三角テント形の安全空間を形成し激震時に人の重点的な安全作用を提供し冷静適切な行動に寄与する、寝具の設置が容易で各人毎に自由設置して就寝し就寝時以外は折畳み作用を有し薄く収納、三角テント形、簡潔、強靱、軽量小スペース、自由設置で強力耐震作用をなす。
ロ、本発明に係わる就寝中の耐震具は、合体で該合体の上部に鉄線等で編まれた網を適宜に取り付けると共に接続部を有し、落下物に対する強力回避作用を為すと共に前記合体同様な耐震作用を高める作用を有する。
ハ、本発明に係わる就寝中の耐震具は、本体を合成樹脂体として前記合体と同様な耐震作用を有する。
ニ、本発明に係わる就寝中の耐震具は、単一の合成樹脂体の中央部を屈折し両端縁を底部とし該底部の開放部に開放制御体を設け、対応する開放部に連結して三角テント形成作用を為し前記合成樹脂体同様の耐震作用を有する。
ホ、本発明に係わる就寝中の耐震具は、合成樹脂体の２枚板の各々の同位置を可動屈折も可能な屈折とし、各々の上部、下部に接続部を設け、各々を接続して三角テント形成作用と前記同様の耐震作用を有す。前記各項に補強具の附加も可。
【０００６】
【実施例】
実施例１
図１に基ずいて実施例１を説明する。
実施例１の和式寝具で就寝中の耐震具の斜視図で、略人の上半身長位の一対の合体の上部接続部を、開閉も自在な接続部とし下部の開放部には帆布、網等で適切な三角形の底幅と成るよう調整された開放制御体を取り付け、三角テント形状空間を形成し、此の内部で就寝する人に安全空間を提供する、寝具の設置と撤収操作は、上部の接続部を外してを両開きして布団を開閉制御体の上に敷き再び接続部を接続させて布団に入り就寝する、撤収は逆操作とし、撤収後は折り畳む。
【０００７】
実施例２
図６に基づいて実施例２を説明する。
実施例２の洋式ベッド上に結束固定した就寝中の耐震具の斜視図である。大略図１の実施例１と同様であるが、ベッドの基床の上に合体枠体の下部を置き結束具でベッドに結束して、開放制御体の上に布団を設置して用いる。
【０００８】
【発明の効果】
本発明に係わる効果は、合体、合成樹脂体等での強靱、軽量な三角テント形成は、内部に居る就寝者が咄嗟の大地震で天井、梁柱の落下、タンスの転倒等から下敷きを免れ、頭部、胸部、腹部等重要部が防護され被害を最小に止める安全空間形成の効果を有し、上部接続部開閉が寝具の設置撤収を簡潔効果とし和式寝具ベッドでも各人が自由に小スペースで使用でき、就寝時以外は薄く折り畳んで収納できる、就寝中の激震時の安全確保が、要介護者や一般家庭に低コストな享受効果を有し、三角テント内部の就寝者が安定体となる効果は落下物、倒壊に対し簡易な安定と防禦で人体肝要部に最大の安全効果がある就寝中の耐震具である。
【図面の簡単な説明】
【図１】本発明の、合体の一例で板
【図２】本発明の、合体の一例で枠体で成る就寝中の耐震具の斜視図である。
体の。      部に網を設けて成る就寝中の耐震具の斜視図である
【図３】上本発明の、合成樹脂体の一例板体で成る就寝中の耐震具を折畳んだ斜視図。
【図４】本発明の、ベッド上で使用の合体枠体で成る就寝中の耐震具の斜視図である。
【図５】
【図６】本発明の、合成樹脂体の板体１枚の中央部を屈折加工して成る就寝中の耐震具の斜視図である。
【図７】本発明の、合成樹脂体の板体２枚を各々屈折して各上部と下部に接続部を設けて対応体の上部、下部の接続部同士と接続させて成る就寝中の耐震具の斜視図。
【図８】本発明の、合体の網取り付き枠体の就寝中の耐震具を展開した斜視略図。
【符号の説明】
１合体  ２上部  ３接続部  ４下部  ５開放部  ６開放制御体  ７合成樹脂体  ８ベッド  ９ベッド基床  １０対応体  １１網  １２耐震具折畳み図  １３屈折１４就寝者用空間部  １５底部  １６端縁  １７合体枠体  １８布団  １９人２０接続具  ２１結束具  ２２鋼鉄線  ２３帆布  ２４合体枠体の展開略図
【図１】
2004316388.tif 000003
【図２】
2004316388.tif 000004
【図３】
2004316388.tif 000005
【図４】
2004316388.tif 000006
【図５】
2004316388.tif 000007
【図６】
2004316388.tif 000008
【図７】
2004316388.tif 000009
【図８】
2004316388.tif 000010